【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
セキュリティ検査システムであって、
被検者が通り抜けることが可能な入口と、
アンテナ素子のアレイを含む走査パネルであって、該アンテナ素子のそれぞれは、前記被検者上のターゲットに向けてマイクロ波照射ビームを送るように、それぞれの位相遅れをプログラムすることが可能であり、前記アンテナ素子は、前記ターゲットから反射された反射マイクロ波照射ビームを受け取ることが可能である、走査パネルと、
前記反射マイクロ波照射ビームの強度を測定して、作成される前記被検者の画像内におけるピクセル値を求めるよう動作可能であるプロセッサと、
を有するシステム。
【請求項２】
前記アンテナ・アレイが反射アンテナ・アレイであり、前記アンテナ素子が反射アンテナ素子であり、前記アンテナ素子が、送信マイクロ波アンテナからのマイクロ波照射ビームを受信するよう構成され、前記ターゲットに向けてマイクロ波照射ビームを送るようにプログラムされた前記それぞれの位相遅れに基づいて、前記マイクロ波照射ビームを反射するように構成されている、請求項１に記載のシステム。
【請求項３】
前記反射アンテナ素子が、さらに、前記ターゲットから反射された前記反射マイクロ波照射ビームを受信するよう構成され、交互パターンをなすように前記反射アンテナ素子にプログラミングを施すことにより、前記反射マイクロ波照射ビームを受信マイクロ波アンテナに向けて反射するように構成されている、請求項２に記載のシステム。
【請求項４】
前記受信マイクロ波アンテナが前記送信マイクロ波アンテナである、請求項３に記載のシステム。
【請求項５】
前記反射アンテナ・アレイが、前記マイクロ波照射ビームを前記ターゲットに向けて反射するように構成された第１の反射アンテナ・アレイと、前記反射マイクロ波照射ビームを前記受信マイクロ波アンテナに向けて反射するように構成された第２の反射アンテナ・アレイが含まれる、請求項３に記載のシステム。
【請求項６】
前記走査パネルが、前記被検者上の異なるターゲットに向けて周波数の異なる複数マイクロ波ビームを同時に送ることが可能な１つ以上の走査パネルを含む、請求項１に記載の
システム。
【請求項７】
セキュリティ検査方法であって、
それぞれの位相遅れをプログラムすることが可能な複数のアンテナ素子を含む反射アンテナ・アレイを設けるステップと、
マイクロ波源からのマイクロ波照射ビームを前記反射アンテナ・アレイで受け取るステップと、
前記アンテナ素子の前記それぞれの位相遅れに基づいて、ターゲット上の位置に向けて前記マイクロ波照射ビームを反射するステップと、
前記反射アンテナ・アレイにおいて、前記ターゲット上の前記位置から反射された反射マイクロ波照射ビームを受信するステップと、
前記反射マイクロ波照射ビームの強度を測定して、ピクセル値を求めるステップと、
前記ターゲット上の複数位置に関連した複数ピクセル値を含む画像を作成するステップと、
を有する方法。
【請求項８】
前記マイクロ波源が、送信マイクロ波アンテナであり、
前記アンテナ素子のそれぞれに関連したそれぞれの追加位相遅れに基づいて、受信マイクロ波アンテナに向けて前記反射マイクロ波ビームを反射するステップをさらに有する、
請求項７に記載の方法。
【請求項９】
前記反射アンテナ・アレイが、前記ターゲットの異なる部分を画像化する２つ以上の反射アンテナ・アレイを含んでおり、
前記２つ以上の反射アンテナ・アレイを同時に動作させて、２つ以上のピクセル値を求めるステップをさらに有する、請求項７に記載の方法。
【請求項１０】
前記反射するステップが、前記ターゲット上の異なる位置に向けて周波数の異なる複数のマイクロ波ビームを同時に反射するステップを含む、請求項７に記載の方法。
【請求項１１】
マイクロ波照射ビームを供給するマイクロ波源と、
複数のアンテナ素子を含み、該アンテナ素子のそれぞれは、前記マイクロ波照射ビームをターゲット上のある位置に向けるべく、それぞれの方向の協働動作をするようプログラムすることができるようになっており、また、該アンテナ素子は、前記ターゲット上の前記位置から反射された反射マイクロ波照射ビームを受けるべく、プログラムすることができるようになっている、アンテナ・アレイと、
前記反射マイクロ波照射ビームの強度を測定して、前記ターゲットの画像内におけるピクセル値を決めるよう動作可能であるプロセッサと、
を具備することを特徴とするマイクロ波イメージングシステム。
【請求項１２】
前記マイクロ波源は、前記マイクロ波照射ビームが前記ターゲットに全体的に照射されるように構成されることを特徴とする請求項１１に記載のマイクロ波イメージングシステム。
【請求項１３】
前記ターゲット上の前記位置から反射された前記反射マイクロ波照射ビームを全体的に受信するように動作するマイクロ波受信器を具備することを特徴とする請求項１２に記載のマイクロ波イメージングシステム。
【請求項１４】
前記それぞれの方向の協働動作は、それぞれの反射についての協働動作であることを特徴とする請求項１１に記載のマイクロ波イメージングシステム。
【請求項１５】
前記それぞれの反射についての協働動作は、前記それぞれのアンテナ素子の位相状態を表すことを特徴とする請求項１４に記載のマイクロ波イメージングシステム。
【請求項１６】
前記それぞれの反射についての協働動作は、前記それぞれのアンテナ素子の振幅状態を表すことを特徴とする請求項１４に記載のマイクロ波イメージングシステム。
【請求項１７】
ターゲットのマイクロ波イメージングの方法であって、
複数のアンテナ素子を含み、該アンテナ素子のそれぞれが、それぞれの方向の協働動作をするようプログラムすることができるようになっている、アンテナアレイを配置し、
前記アンテナアレイにより、マイクロ波源からマイクロ波照射ビームを受信し、
前記アンテナ素子のそれぞれを、前記それぞれの方向に協働動作させて、前記ターゲット上のある位置に、前記マイクロ波照射ビームを向け、
前記ターゲット上の前記位置から反射された前記反射マイクロ波照射ビームを受信し、
前記反射マイクロ波照射ビームの強度を測定して１つのピクセル値を決定し、
前記ターゲット上の前記複数の位置の複数のピクセル値を含む画像をつくることを特徴とする、マイクロ波イメージング方法。
【請求項１８】
前記反射マイクロ波照射ビームの前記受信は、前記ターゲット上の前記位置から反射される前記反射マイクロ波照射ビームの全体的受信であることを特徴とする、請求項１７に記載のマイクロ波イメージング方法。
【請求項１９】
ターゲットのマイクロ波イメージング方法であって、
複数のアンテナ素子を含み、該アンテナ素子のそれぞれが、それぞれの方向の協働動作をするようプログラムすることができるようになっている、アンテナアレイを配置し、
前記ターゲット上の前記位置にマイクロ波源からマイクロ波照射ビームを照射し、
前記ターゲット上の前記位置から反射される反射マイクロ波照射ビームを前記アンテナアレイにおいて受信し、
前記ターゲット上の前記位置から反射された前記反射マイクロ波照射ビームを、前記アンテナ素子のそれぞれを前記それぞれの方向に協働させることにより、マイクロ波受信器に向け、
前記反射されたマイクロ波照射ビームの強度を測定して１つのピクセル値を決定し、
前記ターゲット上の前記複数の位置の複数のピクセル値を含む画像をつくることを特徴とする、マイクロ波イメージング方法。
【請求項２０】
前記ターゲットへの前記マイクロ波照射ビームの照射は、前記ターゲットを被うようにされることを特徴とする請求項１９に記載のマイクロ波イメージング方法。